(57)【要約】【課題】テープの貼付け開始及び終了位置が確認し易く、テープを切断する刃物によって使用者の指先や被貼付面を傷つけることがなく、使用者が貼付けを開始しようとした箇所でテープの貼付け開始が容易な小型の修正テープ貼付具の提供。【解決手段】一方が粘着面であり、他方が書き込み面である修正テープを巻き出す巻出部と、修正テープを貼り付ける貼付部を筐体に保持する修正テープ貼付具において、貼付部の先端がヘラ状であり、ボタンへの外部からの押圧による移動に連動して修正テープを切断する刃物を筐体の内部に有し、貼付部先端の近傍に刃物の先端に設けられた刃が挿入される凹部が設けられ、外部からの押圧の反対方向へボタンを押圧する弾性部材を有し、外部からの押圧の反対方向へのボタンの移動に連動して刃物で切断された修正テープの先端を貼付部で貼付け可能な位置まで繰出す繰出部を有する。【選択図】図１
2015142981.tif 000002
【特許請求の範囲】
【請求項１】
一方の面が粘着面であり、他方の面が筆記具で書き込み可能な書き込み面である修正テープを巻き出し可能に保持する巻出部と、前記修正テープの粘着面を被貼付面に貼り付ける貼付部を少なくとも筐体に保持する修正テープ貼付具において、前記貼付部の先端がヘラ状であり、外部からの押圧によって移動可能なボタンを有し、前記ボタンの外部からの押圧による移動に連動して前記修正テープを切断する刃物を前記筐体の内部に有し、前記貼付部先端の近傍には前記刃物の先端に設けられた刃が挿入される凹部が設けられ、前記外部からの押圧の反対方向へ前記ボタンを押圧する弾性部材を有し、前記外部からの押圧の反対方向への前記ボタンの移動に連動する繰出部を有し、前記繰出部の前記連動により前記刃物で切断された前記修正テープの先端を前記貼付部で被貼付面に貼付け可能な位置まで繰出すことを特徴とする修正テープ貼付具。
【請求項２】
前記貼付部で前記修正テープを被貼付面に押圧しつつ修正テープ貼付具を被貼付面上で移動することにより、前記修正テープを前記被貼付面に貼り付けた後、前記ボタンを外部から押圧して、前記刃物の先端に設けられた刃を前記貼付部先端の近傍に設けられた前記凹部に挿入して前記修正テープを切断し、前記修正テープの被貼付面への貼付けを終了した後に、前記貼付部を前記被貼付面から離し、さらに前記ボタンの外部からの押圧を解除して前記弾性部材の弾性力によって前記ボタン及び前記刃物を前記ボタンの外部からの押圧の反対方向へ移動するとともに、前記ボタンの外部からの押圧の反対方向への移動に連動して前記修正テープを前記貼付部方向へ繰出す繰出部によって、前記刃物で切断された前記修正テープの先端を前記貼付部で前記被貼付面に貼付け可能な位置まで繰出すことを特徴とする請求項１に記載の修正テープ貼付具による修正テープの貼付方法。
【請求項３】
前記巻出部が前記筐体に設けられた軸部と、前記軸部に回転可能かつ着脱可能に係合するコアに前記修正テープを巻き回した修正テープパンケーキからなり、前記コアを前記軸部に係合するとともに前記修正テープパンケーキの外周から巻出した前記修正テープの先端を前記繰出部に狭持することによって、前記修正テープパンケーキから巻き出された前記修正テープの先端が前記繰出部によって繰出し可能となることを特徴とする請求項１に記載の修正テープ貼付具。
【請求項４】
前記筐体が少なくともケースとカバーからなり、前記カバーは前記ケースに着脱可能に係合され、前記カバーには前記巻出部及び前記繰出部において前記修正テープを狭持する２つ部材の一方が設けられ、前記巻出部は前記カバーに設けられた軸部と前記軸部に回転可能に係合するコアに前記修正テープを巻き回した修正テープパンケーキからなり、前記修正テープパンケーキの外周から巻き出された前記修正テープが前記カバーに保持され、前記カバーを前記ケースに係合することにより、前記修正テープパンケーキから巻き出された前記修正テープの先端が前記繰出部によって繰出し可能に狭持されることを特徴とする請求項１に記載の修正テープ貼付具。
【発明の詳細な説明】
【技術分野】
【０００１】
本発明は、一方の面が粘着面であり、他方の面が筆記具で書き込み可能な書き込み面である修正テープを巻出部から巻き出して、必要な分だけを紙などの被貼付面へ貼り付け、貼り付け終了位置で修正テープを切断して貼付けを終了する修正テープ貼付具に関する。
【背景技術】
【０００２】
従来から、誤記を修正するためや、複写時に一部の文字等を隠して書類を複写するために、修正テープと呼ばれるテープを巻出部から巻き出して、被貼付面に必要な分だけを貼り付け、貼り付け終了位置でテープを切断して貼付けを終了する修正テープ貼付具が使用されている。このような修正テープ貼付具としては、特許文献１や特許文献２のようなものが、提案されている。しかしながら、特許文献１の粘着テープホルダー（本発明の修正テープ貼付具に相当）では、修正テープを切断する刃物の刃先が外部に露出しており、この刃によって使用者の指先や被貼付面を傷付けるおそれがあった。
【０００３】
一方、特許文献２では、修正テープを被貼付面に貼り付ける貼付ロールの外周上で修正テープを切断する手持ち型装置（本発明の修正テープ貼付具に相当）が開示されている。特許文献２の手持ち型装置は貼付ロール上に刃物の刃を押し当て修正テープを切断するので、特許文献１の粘着テープホルダーのように、刃物の刃によって使用者の指先や被貼付面を傷付けるおそれはない。しかしながら、特許文献２の手持ち型装置では、刃物の刃によって修正テープが切断される切断領域は、貼付ロールがテープを被貼付面に貼り付ける接触領域の後方にあるため、使用者が修正テープを被貼付面に貼付けようとしても、すぐには修正テープが被貼付面に貼り付けられず、使用者が貼付けを開始しようとした位置から修正テープの貼り付けを開始することは困難であった。また、特許文献２の手持ち型装置では、修正テープを被貼付面に押圧して貼り付けるために貼付ローラを用いるので、貼付ローラの半径分だけテープの貼付け位置が貼付ローラ外周よりも内側となり、修正テープの貼付けが開始される箇所が見難いという問題があった。
【０００４】
このように、従来の修正テープ貼付具では、それぞれに異なった課題を有しており、修正テープの貼付け開始位置及び終了位置が確認し易く、修正テープを切断する刃物によって使用者の指先や被貼付面を傷つけることがなく、かつ、使用者が修正テープの貼付けを開始しようとした箇所で、修正テープの貼付けを容易に開始することができるという３つの課題を同時に解決したものが無かった。また、これら３つの課題を同時に解決するには、修正テープ貼付具の内部構造が複雑になるため、片手で使用することができる小型の修正テープ貼付具を提供することが困難であった。
【先行技術文献】
【特許文献】
【０００５】
【特許文献１】特開平３−１１９０８３
【特許文献２】特表２００３−５２３８５７
【発明の概要】
【発明が解決しようとする課題】
【０００６】
本発明は上記のような問題点に鑑みてなされたものであって、本発明が解決しようとする課題は、修正テープ貼付具において、修正テープの貼付け開始位置及び終了位置が確認し易く、修正テープを切断する刃物によって使用者の指先や被貼付面を傷つけることがなく、かつ、使用者が修正テープの貼付けを開始しようとした箇所で、修正テープの貼付けを容易に開始することができる小型の修正テープ貼付具の提供である。
【課題を解決するための手段】
【０００７】
第１発明は、一方の面が粘着面であり、他方の面が筆記具で書き込み可能な書き込み面である修正テープを巻き出し可能に保持する巻出部と、前記修正テープの粘着面を被貼付面に貼り付ける貼付部を少なくとも筐体に保持する修正テープ貼付具において、前記貼付部の先端がヘラ状であり、外部からの押圧によって移動可能なボタンを有し、前記ボタンの外部からの押圧による移動に連動して前記修正テープを切断する刃物を前記筐体の内部に有し、前記貼付部先端の近傍には前記刃物の先端に設けられた刃が挿入される凹部が設けられ、前記外部からの押圧の反対方向へ前記ボタンを押圧する弾性部材を有し、前記外部からの押圧の反対方向への前記ボタンの移動に連動する繰出部を有し、前記繰出部の前記連動により前記刃物で切断された前記修正テープの先端を前記貼付部で被貼付面に貼付け可能な位置まで繰出すことを特徴とする修正テープ貼付具である。
【０００８】
第２発明は、前記貼付部で前記修正テープを被貼付面に押圧しつつ修正テープ貼付具を被貼付面上で移動することにより、前記修正テープを前記被貼付面に貼り付けた後、前記ボタンを外部から押圧して、前記刃物の先端に設けられた刃を前記貼付部先端の近傍に設けられた前記凹部に挿入して前記修正テープを切断し、前記修正テープの被貼付面への貼付けを終了した後に、前記貼付部を前記被貼付面から離し、さらに前記ボタンの外部からの押圧を解除して前記弾性部材の弾性力によって前記ボタン及び前記刃物を前記ボタンの外部からの押圧の反対方向へ移動するとともに、前記ボタンの外部からの押圧の反対方向への移動に連動して前記修正テープを前記貼付部方向へ繰出す繰出部によって、前記刃物で切断された前記修正テープの先端を前記貼付部で前記被貼付面に貼付け可能な位置まで繰出すことを特徴とする第１発明に記載の修正テープ貼付具による修正テープの貼付方法である。
【０００９】
第３発明は、前記巻出部が前記筐体に設けられた軸部と、前記軸部に回転可能かつ着脱可能に係合するコアに前記修正テープを巻き回した修正テープパンケーキからなり、前記コアを前記軸部に係合するとともに前記修正テープパンケーキの外周から巻出した前記修正テープの先端を前記繰出部に狭持することによって、前記修正テープパンケーキから巻き出された前記修正テープの先端が前記繰出部によって繰出し可能となることを特徴とする第１発明に記載の修正テープ貼付具である。
【００１０】
第４発明は、前記筐体が少なくともケースとカバーからなり、前記カバーは前記ケースに着脱可能に係合され、前記カバーには前記巻出部及び前記繰出部において前記修正テープを狭持する２つ部材の一方が設けられ、前記巻出部は前記カバーに設けられた軸部と前記軸部に回転可能に係合するコアに前記修正テープを巻き回した修正テープパンケーキからなり、前記修正テープパンケーキの外周から巻き出された前記修正テープが前記カバーに保持され、前記カバーを前記ケースに係合することにより、前記修正テープパンケーキから巻き出された前記修正テープの先端が前記繰出部によって繰出し可能に狭持されることを特徴とする第１発明に記載の修正テープ貼付具である。
【発明の効果】
【００１１】
本発明の発明者が鋭意検討した結果、被貼付面へ修正テープを貼り付ける貼付ロールよりも後方の修正テープ貼付具の内部に修正テープを切断する刃物を設けるとともに、修正テープを切断する刃物が切断位置から戻る動作に連動して、切断された修正テープの先端を貼付ロールの貼付位置まで繰り出す繰出部を設けることにより、修正テープを切断する刃物によって使用者の指先や被貼付面を傷つけることがなく、かつ、使用者が修正テープの貼付けを開始しようとした箇所で、修正テープの貼付けを容易に開始することができることを見出した。
【００１２】
しかしながら、これらの構成だけでは、修正テープの貼付け開始位置及び終了位置が確認し易いという点では不十分であった。また、刃物の動作が貼付ロールと干渉しないように、刃物と貼付ロールは離して設ける必要があるため、修正テープを切断した後に修正テープ先端を繰りだす距離が長くなって、テープを繰出す繰出部が大きくなり、この結果、修正テープ貼付具全体が大きくなるという問題があった。
【００１３】
これらの問題を解決するために、本発明の発明者がさらに鋭意検討した結果、修正テープを被転写面に貼り付ける手段をヘラ状の貼付部とし、ヘラ状の貼付部の先端付近に修正テープを切断する刃物の刃の受け部を設け、この受け部にて修正テープを切断することによって、修正テープ切断位置から修正テープの貼付け位置までの距離を短くすることができるので、修正テープを切断位置から貼付け位置まで繰出す繰出部を小さくすることができ、この結果、繰出部を追加しても修正テープ貼付具全体が極端に大きくなることがなく、同時に、修正テープの貼付け開始位置及び終了位置が確認し易い修正テープ貼付具を提供できることを見出し、本発明をするに至った。
【００１４】
すなわち、本発明では、次に示す（ア）〜（エ）の構成を合わせ持つことにより、修正テープの貼付け開始位置及び終了位置が確認し易く、修正テープを切断する刃物によって使用者の指先や被貼付面を傷つけることがなく、使用者が修正テープの貼付けを開始しようとした箇所で、修正テープの貼付けを容易に開始することができる小型の修正テープ貼付具を提供することができた。
（ア） 修正テープを切断する刃物を被貼付面へ修正テープを貼り付ける貼付部よりも後方の修正テープ貼付具の内部に設ける。
（イ） 修正テープを切断する刃物が切断位置から戻る動作に連動して、切断された修正テープの先端を貼付部の貼付位置まで繰り出す修正テープの繰出部を設ける。
（ウ） 修正テープを被貼付面に貼り付ける貼付部の先端形状を、ヘラ状にする。
（エ） ヘラ状の貼付部の先端付近に、修正テープを切断する刃物の刃が挿入がされる凹部を設ける。
【図面の簡単な説明】
【００１５】
【図１】本発明の第１実施形態の修正テープ貼付具Ａ
【図２】本発明の第２実施形態の修正テープ貼付具Ｂ
【図３】本発明の第１実施形態の修正テープ貼付具Ａの使用状態を示す図である。
【発明を実施するための形態】
【００１６】
本発明の第１実施形態の修正テープ貼付具Ａを図１に示す。図１（ａ）はカバーを除去した状態の修正テープ貼付具Ａの正面図であり、図１（ｂ）は修正テープ貼付具Ａのカバーをセットした状態の正面図、底面図、及び左側面図であり、図１（ｃ）は修正テープ貼付具Ａのロールカバー９を開いた状態の貼付部付近の詳細を示す図であり、図１（ｄ）は図１（ａ）のＭ−Ｍ断面を示す図であり、図１（ｅ）は図１（ａ）のＮ−Ｎ断面を示す図である。
【００１７】
修正テープ貼付具Ａは、図１に示すようにケ−ス１とカバー２からなる筐体、片面が粘着面でありもう一方の面が筆記具で書き込み可能な書き込み面である修正テ−プＴを巻き出し可能に巻き回した巻出部３、修正テープＴを紙などの被貼付面に貼り付けるヘラ状の貼付部４、筐体から突出した位置に設けられ外部からの押圧によって筐体の内部方向に移動するボタン５、ボタン５に連結されボタン５とともに移動し修正テープＴを切断する刃物６、ボタン５を前記外部からの押圧の反対の方向に押圧する弾性部材７、及びボタン５の前記外部からの押圧の反対方向への移動に連動して修正テープＴを貼付部４方向へ繰出す繰出部８から構成されるものであるが、必要により他の機構を追加可能であり、これに限定されるものではない。
【００１８】
修正テープ貼付具Ａのヘラ状の貼付部４の先端を紙など被貼付面に押圧すると、貼付部４によって修正テープＴの粘着面が被貼付面に押圧され、この状態で修正テープ貼付具Ａ全体を移動させると、修正テープＴが巻出部３から巻き出され、図３（ａ）に示すように修正テープＴが被貼付面に順次貼り付けられる。
【００１９】
巻出部３は、巻き出される修正テープＴが蛇行したり弛んだりしないように、修正テープＴに張力を付与するブレーキ機構が設けられる。修正テープ貼付具Ａではケース１に一体に形成された軸３Ｃに押圧片３Ｄが設けられ、軸３Ｃに修正テープＴを巻き回した巻出コア３Ｅが装着されると、押圧片３Ｄが巻出コア３Ｅの内周を押圧する力によってブレーキ力を発生させているが、ブレーキ力を発生させる機構はこれに限定されるものではない。修正テープ貼付具Ａでは、押圧片３Ｄにより適度なブレーキ力が巻出コア３Ｅに負荷されることにより、巻出コア３Ｅから巻き出される修正テープＴに適度な張力が加えられ、修正テープＴは蛇行したり弛んだりせずに巻出コア３Ｅから巻き出される。
【００２０】
修正テープ貼付具Ａでは、ボタン５に設けられた長孔内を、刃物６に設けられた突起が移動可能となっており、ボタン５の移動に連動して刃物６が移動する。このため、修正テープ貼付具Ａでは、貼付部４を被貼付面に押圧した状態で、ボタン５を押圧して筐体内部に押し込むと、図３（ｂ）に示すようにボタン５に連結された刃物６が貼付部４方向へ移動し、貼付部４の先端付近で修正テープＴを切断する。貼付部４には凹部４Ｃが設けられており、刃物６で修正テープＴを切断すると刃物６の先端の刃がこの凹部４Ｃに挿入される。凹部４Ｃが設けられていることにより、修正テープが切断し易くなるとともに、刃の先端が修正テープＴ以外とは接触しないので、刃を損傷しない。
【００２１】
ボタン５には弾性部材７が連結されている。弾性部材７の弾性力は、外部からのボタン５への押圧とは反対方向に、すなわち、ボタン５が筐体から外部に突出する方向へボタン５に作用する。修正テープＴの切断後に修正テープ貼付具Ａを被貼付面から持ち上げて、ボタン５への外部からの押圧を解除すると、図３（ｃ）に示すように弾性部材７の弾性力によりボタン５は筐体から外部に突出する方向へ押し戻される。
【００２２】
ボタン５には直線状に３角歯５Ｃが多数連続して設けられており、ボタン５が筐体から外部に突出する方向へ移動するときに、繰出部８の繰出ロール８Ｃの端部外周に設けられた３角歯８ＣＣと噛み合って繰出ロール８Ｃを回転させる。繰出ロール８Ｃは従動ロール８Ｄとの間に修正テープＴを挟んでおり、繰出ロール８Ｃが図１（ａ）において左回転に回転すると、切断された修正テープＴの先端が、貼付部４で被貼付面に貼付け可能な位置まで繰り出される。３角歯５Ｃと８ＣＣは、ボタン５が筐体から突出する方向へ移動するときには、互いに強く係合し、反対にボタン５が筐体内部方向へ移動するときには、互いに係合し難く、且つ滑りやすいように歯面が傾斜している。また、繰出ロール８Ｃとカバー２には、修正テープＴを貼付部４方向に繰出す方向の反対方向への繰出ロール８Ｃの回転を防止する回転防止機構１２が設けられている。このため、ボタン５が筐体から突出する方向へ移動するときには、ボタン５の移動に連動して繰出ロール８Ｃも回転するが、ボタン５が筐体内部に押し込まれるときには、繰出ロール８Ｃは回転しない。
【００２３】
繰出ロール８Ｃは、修正テープＴの粘着面と接して、修正テープを繰出すので、修正テープＴが繰出ロール８Ｃに貼りつくおそれがある。このため、修正テープＴと接する繰出ロール８Ｃの外周部に、非粘着性を付与するプラズマコーティングやシリコンコーティング等の表面処理や塗装処理を施すか、或いは、外周部の素材自体に非粘着性を有したフッ素樹脂等の素材を使用することが好ましい。
【００２４】
ボタン５が筐体内に最も押し込まれた位置にあるときに、３角歯８ＣＣと噛み合うボタン５の３角歯５Ｃは設けられていない。ボタン５が筐体内に最も押し込まれた位置から一定距離押し出された位置で、はじめて３角歯８ＣＣと３角歯５Ｃが噛み合うように、３角歯５Ｃは設けられている。したがって、弾性部材７の弾性力によって刃物６が一定距離押し戻された後に、繰出部８の繰出ロール８Ｃが回転を開始する。刃物６が筐体内の最も押し込まれた位置にある状態で、繰出ロール８Ｃが回転を開始し、修正テープＴの先端が繰出されると、修正テープＴの先端と刃物６が干渉するので、刃物６が修正テープＴと干渉しない位置まで押し戻された後に、繰出ロール８Ｃが回転を開始するようになっている。
【００２５】
ボタン５が筐体から最も突出した位置あるときにも、３角歯８ＣＣと噛み合うボタン５の３角歯５Ｃは設けられていない。ボタン５が筐体から最も突出した位置から一定距離押し込まれた位置で、はじめて３角歯８ＣＣと３角歯５Ｃが噛み合うように、３角歯５Ｃは設けられている。したがって、ボタン５が筐体から最も突出した位置あるときには、３角歯５Ｃが繰出ロール８Ｃの回転を阻害することがなく、繰出ロール８Ｃは小さな力で回転することができる。よって、ボタン５が筐体から最も突出した位置にあれば、繰出ロール８Ｃが修正テープＴと接触していても、修正テープＴを貼付部４で貼り付けるときに、修正テープＴの巻出し力が重くなって、筐体内から修正テープＴが巻出し困難となることはない。
【００２６】
刃物６が修正テープＴを切断する位置である凹部４Ｃは、貼付部４の先端近傍に設けられているので、修正テープＴの切断位置から、修正テープＴが貼付部４で被貼付面に貼付け可能となる位置までの距離が短い。このため、繰出ロール８Ｃが１回の動作で繰出す修正テープの長さを短くすることができる。この長さは、好ましくは２〜８ｍｍであり、より好ましくは２〜５ｍｍである。修正テープＴを繰出す長さが短いので、繰出部８やボタン５の押し込み量を小さくすることができる。この結果、修正テープ貼付具Ａ全体を小型にすることができる。
【００２７】
修正テープＴの切断時に、刃物６の先端の刃は貼付部４の凹部４Ｃ内に挿入され外部に露出しない。また貼付部４の先端方向への修正テープＴを出す修正テープ貼付具Ａの出口は狭くなっており、ここから使用者の指が修正テープ貼付具Ａ内に入り込むことがないので、修正テープを切断する刃物６によって使用者の指先や被貼付面を傷つけることがない。
【００２８】
また、修正テープ貼付具Ａは、貼付部４をヘラ状としているので、テープの貼付け開始位置及び終了位置が確認し易く、かつ、修正テープＴを切断するための刃物６が切断位置から戻る動作に連動して、切断された修正テープＴの先端を貼付部４の貼付位置まで繰り出す繰出部８が設けられているので、使用者が修正テープＴの貼付けを開始しようとした箇所で、修正テープＴの貼付けを容易に開始することができる。
【００２９】
修正テープ貼付具Ａでは、修正テープＴの終端が巻出コア３Ｅに剥離可能に接着されている。修正テープＴの終端の接着面が巻出コア３Ｅから剥離する剥離力は、貼付部４によって修正テープＴを被貼付面に貼付けながら修正テープＴを巻出す力よりも小さい。したがって、修正テープ貼付具Ａの修正テープＴをすべて被貼付面に貼り付け終わると、修正テープ貼付具Ａの内部には修正テープＴが巻き付けられていない巻出コア３Ｅだけが残る。
【００３０】
修正テープ貼付具Ａでは、カバー２がケース１に対して、開閉可能に係合されている。またケース１には、従動ロール８Ｄを回転可能に保持したロールカバー９も開閉可能に係合されている。ロールカバー９は、カバー２がケース１に対して係合しカバーが閉じた状態では、ケース１との係合を解除して、ケース１から開くことができないようになっている。
【００３１】
このように、修正テープ貼付具Ａでは、ケース１に対して、カバー２とロールカバー９が開閉可能となっていることにより、これらを開けて、修正テープを使用し終えた巻出コア３Ｅを取り外し、新たに修正テープＴが巻き回された巻出コア３Ｅ（以後、巻出コア３Ｅに修正テープＴが巻き回されて一体となったものを修正テープパンケーキ１０と呼ぶ。）を装着することが出来るようになっている。
【００３２】
修正テープＴを使い終えた巻出コア３Ｅの新たな修正テープパンケーキ１０への交換は、次の手順で行うことができる。まず、ケース１とカバー２の係合を解除して、カバー２を開ける。カバー２が開くと、巻出コア３Ｅが軸３Ｃから取り外し可能となるので、巻出コア３Ｅを取り外す。次にケース１とロールカバー９の係合を解除して、ロールカバー９を開ける。ロールカバー９を開けると、繰出ロール８Ｃと従動ロール８Ｄの間に隙間ができる。次に新しい修正テープパンケーキ１０を準備する。修正テープパンケーキ１０の外周部分から修正テープＴを巻き出し、巻き出した修正テープＴの先端が繰出ロール８Ｃと従動ロール８Ｄの間の隙間に入るようにしつつ、巻出コア３Ｅを軸３Ｃに装着する。次にロールカバー９を閉じて、修正テープＴの先端を繰出ロール８Ｃと従動ロール８Ｄの間に挟みこむ。最後にカバー２を閉じ、ボタン５を押圧して最も奥まで押し込んだ後、ボタン５の押圧を解除すると、修正テープＴが繰り出され、修正テープＴの先端が貼付部４で被貼付面に貼付け可能な位置まで繰り出される。
【００３３】
本発明の第２実施形態の修正テープ貼付具Ｂを図２に示す。修正テープ貼付具Ｂは、交換ユニット１１と本体部１４で構成されている。図２（ａ）は交換ユニット１１を除去した状態の修正テープ貼付具Ｂの正面図であり、図２（ｂ）は修正テープ貼付具Ｂの交換ユニット１１をセットした状態の正面図であり、図２（ｃ）は修正テープ貼付具Ｂの交換ユニット１１を示す図であり、図２（ｄ）は図２（ａ）のＭ−Ｍ断面を示す図であり、図２（ｅ）は交換ユニット１１の本体部１４への装着を開始した状態を示す図であり、図２（ｆ）は図２（ｃ）のＮ−Ｎ断面を示す図である。
【００３４】
修正テープ貼付具Ａでは修正テープパンケーキ１０の交換を修正テープパンケーキ１０単体で実施していたのに対して、修正テープ貼付具Ｂでは、交換ユニットベース１１Ｄに修正テープパンケーキ１０と従動ロール８Ｄがセットされた状態の交換ユニット１１を交換するようになっている。修正テープ貼付具Ｂは、修正テープパンケーキ１０の交換方法が異なる以外は、修正テープ貼付具Ａと同様である。
【００３５】
修正テープ貼付具Ｂでは、交換ユニットベース１１Ｄに軸３Ｃが設けられる。修正テープ貼付具Ａと同様に、軸３Ｃには押圧片３Ｄが設けられ、押圧片３Ｄが巻出コア３Ｅの内周を押圧する力によってブレーキ力を発生させているが、ブレーキ力を発生させる機構はこれに限定されるものではない。
【００３６】
交換ユニット１１に装着された状態で、修正テープパンケーキ１０の外周部から巻き出された修正テープＴの先端は、交換ユニット１１に回転可能に設けられた従動ロール８Ｄと面する位置まで巻出された状態で保持されている。修正テープＴは交換ユニットベース１１Ｄに設けられた４箇所のツメ１１Ｃと係合することによって、修正テープＴの先端が従動ロール８Ｄと面するように交換ユニット１１に保持されている。巻出コア３Ｅが装着される本体部１４の中心部には先端が左右に広がった係合突起１３Ｃが設けられている。また、交換ユニットベース１１Ｄの巻出コア３Ｅの装着部分には、係合角穴１３Ｄが設けられている。図２（ｅ）の状態で本体部１４に交換ユニット１１を被せると、係合突起１３Ｃを係合角穴１３Ｄ内に挿入することができる。この状態で、交換ユニット１１を左回りで回転させて、図２（ｅ）の状態から図２（ｂ）の状態にすると、係合突起１３Ｃ先端の左右に広がった部分が、交換ユニット１１の抜け止めとなり、交換ユニット１１が本体部１４に係合固定される。図２では省略するが、交換ユニット１１と本体部１４の係合固定手段は、係合突起１３Ｃと係合角穴１３Ｄとは別に、貼付部４付近に少なくとももう１箇所設けることが好ましい。貼付部４付近に係合固定手段を設けることにより、貼付部４を被貼付面に強く押し当てても、本体部１４と交換ユニット１１間に隙間が発生し難くなり、修正テープの走行が安定する。
【００３７】
前記のように、交換ユニット１１を左回りに回転させて本体部１４に固定することにより、交換ユニット１１に保持された修正テープＴの先端が、繰出ロール８Ｃと従動ロール８Ｄ間に狭持される。交換ユニット１１を本体部１４に装着した直後は、図２（ｃ）に示すように、修正テープＴはツメ１１Ｃと係合した状態となっている。ツメ１１Ｃと修正テープＴの係合は、修正テープに張力が掛かると外れる程度に設定されるので、修正テープＴの先端を繰出部８で繰り出すことにより、修正テープＴはツメ１１Ｃから外れるようになっている。
【００３８】
修正テープ貼付具Ｂの交換ユニット１１を除く本体部１４は、図２（ａ）に示すようにケ−ス１、貼付部４付近のみを覆うカバー２、修正テープＴを紙などの被貼付面に貼り付けるヘラ状の貼付部４、ケース１から突出した位置に設けられ外部からの押圧によってケース１の内部方向に移動するボタン５、ボタン５に連結されボタン５とともに移動し修正テープＴを切断する刃物６、ボタン５を前記外部からの押圧の反対方向に押圧する弾性部材７、及びボタン５の前記外部からの押圧の反対方向への移動に連動して修正テープＴを貼付部４方向へ繰出す繰出ロール８Ｃから構成されるものであるが、必要により他の機構を追加可能であり、これに限定されるものではない。
【００３９】
修正テープ貼付具Ｂでは、修正テープＴを使い終えた交換ユニット１１を新しい交換ユニット１１と交換した後に、ボタン５を押圧して最も奥まで押し込み、ボタン５の押圧を解除するだけで修正テープパンケーキ１０を新しいものと交換することができる。以上の操作が完了すると、修正テープＴの先端が貼付部４で被貼付面に貼付け可能な位置まで繰り出されている。このように、修正テープ貼付具Ｂでは、修正テープパンケーキ１０の交換を簡単に行うことができる。
【符号の説明】
【００４０】
Ａ、Ｂ    ：修正テープ貼付具
１        ：ケ−ス  
２        ：カバー  
３        ：巻出部  
３Ｃ      ：軸
３Ｄ      ：押圧片
３Ｅ      ：巻出コア
４        ：貼付部  
４Ｃ      ：凹部
５        ：ボタン
５Ｃ      ：３角歯（ボタン）
６        ：刃物  
７        ：弾性部材  
８        ：繰出部
８Ｃ      ：繰出ロール
８ＣＣ    ：３角歯（繰出ロール）
８Ｄ      ：従動ロール
９        ：ロールカバー
１０      ：修正テープパンケーキ  
１１      ：交換ユニット
１１Ｃ    ：ツメ
１１Ｄ    ：交換ユニットベース
１２      ：回転防止機構
１３Ｃ    ：係合突起
１３Ｄ    ：係合角穴
１４      ：本体部
Ｔ        ：修正テープ  
【図１】
2015142981.tif 000003
【図２】
2015142981.tif 000004
【図３】
2015142981.tif 000005